(57)【特許請求の範囲】
【請求項１】
媒体に液体を吐出する複数のノズルが所定方向に並んだ第１ノズル列と、媒体に液体を吐出する複数のノズルが前記所定方向に並んだ第２ノズル列であって、前記所定方向の一方側の端部が前記第１ノズル列の前記所定方向における他方側の端部と重なるように配置された第２ノズル列と、を有する液体吐出装置が、ある画素データに基づいて、前記第１ノズル列の前記他方側の端部に属する第１ノズルと前記第２ノズル列の前記一方側の端部に属する第２ノズルとから、前記ある画素データに対応する前記媒体上の領域に液体を吐出し、別の画素データに基づいて、前記端部に属さない前記ノズルから、前記別の画素データに対応する前記媒体上の領域に液体を吐出して、テストパターンを形成するステップと、
前記テストパターンをスキャナに読み取らせ、前記所定方向と交差する方向に沿ったドット列が形成される前記媒体上の領域である列領域ごとに読取階調値を取得するステップと、
前記列領域ごとの前記読取階調値に基づいて、前記第１ノズルと前記第２ノズルとから液体が吐出される前記列領域に対応する画素データを補正する補正値と、前記端部に属さない前記ノズルから液体が吐出される前記列領域に対応する画素データを補正する補正値とを、前記列領域ごとに算出するステップと、
を有し、
前記テストパターンを形成するステップにおいて、ハーフトーン処理により、前記テストパターンを形成するための各画素データの示す階調値を、前記各画素データに対応する前記媒体上の領域に形成すべきドットサイズを示すドットデータに変換し、
前記ある画素データに対応する前記媒体上の領域に、前記ある画素データの前記ドットデータが示すドットサイズ以下のドットを、前記第１ノズルと前記第２ノズルとにそれぞれ形成させ、
前記液体吐出装置では、ある第１ノズルとある第２ノズルとが重なり、別の第１ノズルと別の第２ノズルとが、前記ある第１ノズル及び前記ある第２ノズルよりも、前記他方側に位置して重なり、
前記テストパターンを形成するステップにおいて、前記ある第２ノズルよりも前記ある第１ノズルに大きいサイズのドットを形成させ、前記別の第１ノズルよりも前記別の第２ノズルに大きいサイズのドットを形成させる、
補正値算出方法。
【請求項２】
媒体に液体を吐出する複数のノズルが所定方向に並んだ第１ノズル列と、媒体に液体を吐出する複数のノズルが前記所定方向に並んだ第２ノズル列であって、前記所定方向の一方側の端部が前記第１ノズル列の前記所定方向における他方側の端部と重なるように配置された第２ノズル列と、を有する液体吐出装置の液体吐出方法であって、
前記液体吐出装置が媒体に液体を吐出するための画素データを、前記所定方向と交差する方向に沿ったドット列が形成される前記媒体上の領域である列領域ごとの補正値で補正するステップと、
補正された前記画素データに基づいて、前記第１ノズル列の前記他方側の端部に属する第１ノズルと前記第２ノズル列の前記一方側の端部に属する第２ノズルとから、その補正された前記画素データに対応する前記媒体上の領域に液体を吐出し、補正された別の前記画素データに基づいて、前記端部に属さない前記ノズルから、その補正された別の前記画素データに対応する前記媒体上の領域に液体を吐出するステップと、
を有し、
ある画素データに基づいて、前記第１ノズルと前記第２ノズルとから、前記ある画素データに対応する前記媒体上の領域に液体が吐出され、別の画素データに基づいて、前記端部に属さない前記ノズルから、前記別の画素データに対応する前記媒体上の領域に液体が吐出されることにより形成されたテストパターンを、スキャナに読み取らせて取得した前記列領域ごとの読取階調値に基づいて、前記第１ノズルと前記第２ノズルとから液体が吐出される前記列領域に対応する画素データを補正する補正値と、前記端部に属さない前記ノズルから液体が吐出される前記列領域に対応する画素データを補正する補正値とが、前記列領域ごとに算出され、
前記テストパターンが形成される際に、ハーフトーン処理により、前記テストパターンを形成するための各画素データの示す階調値が、前記各画素データに対応する前記媒体上の領域に形成すべきドットサイズを示すドットデータに変換され、
前記ある画素データに対応する前記媒体上の領域に、前記ある画素データの前記ドットデータが示すドットサイズ以下のドットが、前記第１ノズルと前記第２ノズルとによりそれぞれ形成され、
前記液体吐出装置では、ある第１ノズルとある第２ノズルとが重なり、別の第１ノズルと別の第２ノズルとが、前記ある第１ノズル及び前記ある第２ノズルよりも、前記他方側に位置して重なり、
前記テストパターンが形成される際に、前記ある第２ノズルよりも前記ある第１ノズルにより大きいサイズのドットが形成され、前記別の第１ノズルよりも前記別の第２ノズルにより大きいサイズのドットが形成される、
液体吐出方法。
【発明の詳細な説明】
【技術分野】
【０００１】
本発明は、補正値算出方法、及び、液体吐出方法に関する。
【背景技術】
【０００２】
液体吐出装置として、所定方向に複数のノズルが並んだノズル列を有するヘッドからインクを吐出するインクジェットプリンタ（以下、プリンタ）が知られている。また、インクジェットプリンタにおいて、高速印刷を実現するために、複数のヘッドを有し、各ヘッドのノズル列が所定方向に並ぶように配置されたプリンタが提案されている。但し、このようなプリンタでは、ヘッドの特性差により、異なるヘッドにて印刷された画像の境目が目立ち、画像劣化の原因となってしまう。
【０００３】
そこで、あるヘッドのノズル列の一方側端部のノズルと別のヘッドのノズル列の他方側端部のノズルとを重複させ、このノズルの重複部分と対向する媒体に対して、そのヘッドのノズルと別のヘッドのノズルにより、交互、又は、所定間隔おきに、ドットを形成する印刷方法が提案されている。（特許文献１参照）
【特許文献１】特開２００１−１５１０号公報
【発明の開示】
【発明が解決しようとする課題】
【０００４】
しかし、上記のような印刷方法では、複数のヘッドの位置合わせが高精度に行われないと、例えば、ノズルの重複部分と対向する媒体において、あるヘッドのノズルにより形成されたドットの間に、別のヘッドのノズルによるドットが形成されなくなってしまう。そうすると、ドット間隔が空き過ぎて淡く視認され、印刷画像の画質劣化の原因となる。
【０００５】
そこで、本発明では、画質劣化を抑制することを目的とする。
【課題を解決するための手段】
【０００６】
課題を解決するための主たる発明は、媒体に液体を吐出する複数のノズルが所定方向に並んだ第１ノズル列と、媒体に液体を吐出する複数のノズルが前記所定方向に並んだ第２ノズル列であって、前記所定方向の一方側の端部が前記第１ノズル列の前記所定方向における他方側の端部と重なるように配置された第２ノズル列と、を有する液体吐出装置が、ある画素データに基づいて、前記第１ノズル列の前記他方側の端部に属する第１ノズルと前記第２ノズル列の前記一方側の端部に属する第２ノズルとから、前記ある画素データに対応する前記媒体上の領域に液体を吐出し、別の画素データに基づいて、前記端部に属さない前記ノズルから、前記別の画素データに対応する前記媒体上の領域に液体を吐出して、テストパターンを形成するステップと、前記テストパターンをスキャナに読み取らせ、前記所定方向と交差する方向に沿ったドット列が形成される前記媒体上の領域である列領域ごとに読取階調値を取得するステップと、前記列領域ごとの前記読取階調値に基づいて、前記第１ノズルと前記第２ノズルとから液体が吐出される前記列領域に対応する画素データを補正する補正値と、前記端部に属さない前記ノズルから液体が吐出される前記列領域に対応する画素データを補正する補正値とを、前記列領域ごとに算出するステップと、を有し、前記テストパターンを形成するステップにおいて、ハーフトーン処理により、前記テストパターンを形成するための各画素データの示す階調値を、前記各画素データに対応する前記媒体上の領域に形成すべきドットサイズを示すドットデータに変換し、前記ある画素データに対応する前記媒体上の領域に、前記ある画素データの前記ドットデータが示すドットサイズ以下のドットを、前記第１ノズルと前記第２ノズルとにそれぞれ形成させ、前記液体吐出装置では、ある第１ノズルとある第２ノズルとが重なり、別の第１ノズルと別の第２ノズルとが、前記ある第１ノズル及び前記ある第２ノズルよりも、前記他方側に位置して重なり、前記テストパターンを形成するステップにおいて、前記ある第２ノズルよりも前記ある第１ノズルに大きいサイズのドットを形成させ、前記別の第１ノズルよりも前記別の第２ノズルに大きいサイズのドットを形成させる、補正値算出方法である。
【０００７】
本発明の他の特徴は、本明細書、及び添付図面の記載により、明らかにする。
【発明を実施するための最良の形態】
【０００８】
＝＝＝開示の概要＝＝＝
本明細書の記載、及び添付図面の記載により、少なくとも次のことが明らかとなる。
【０００９】
即ち、媒体に液体を吐出する複数のノズルが所定方向に並んだ第１ノズル列と、媒体に液体を吐出する複数のノズルが前記所定方向に並んだ第２ノズル列であって、前記所定方向の一方側の端部が前記第１ノズル列の前記所定方向における他方側の端部と重なるように配置された第２ノズル列と、を有する液体吐出装置が、ある画素データに基づいて、前記第１ノズル列の前記他方側の端部に属する第１ノズルと前記第２ノズル列の前記一方側の端部に属する第２ノズルとから、前記ある画素データに対応する前記媒体上の領域に液体を吐出して、テストパターンを形成するステップと、前記テストパターンをスキャナに読み取らせ、読取階調値を取得するステップと、前記読取階調値に基づいて、前記第１ノズルと前記第２ノズルとから液体が吐出される領域に対応する画素データを補正する補正値を算出するステップと、を有する補正値算出方法を実現すること。  
このような補正値算出方法によれば、データにて指示された以上に、ドット間隔（液体痕の間隔）が空いてしまうことを防止し、また、ある画素データに対応する媒体上の領域（即ち、ノズル列の端部が対応する媒体上の領域）に液体が吐出され過ぎてしまうことを防止する補正値を算出できる。例えば液体吐出装置がプリンタであれば濃度むらを防止できる。また、第１ノズル列と第２ノズル列との特性差を緩和できる。
【００１０】
かかる補正値算出方法であって、前記テストパターンを形成するステップにおいて、ハーフトーン処理により、前記テストパターンを形成するための各画素データの示す階調値を、前記各画素データに対応する前記媒体上の領域に形成すべきドットサイズを示すドットデータに変換し、前記ある画素データに対応する前記媒体上の領域に、前記ある画素データの前記ドットデータが示すドットサイズ以下のドットを、前記第１ノズルと前記第２ノズルとにそれぞれ形成させること。  
このような補正値算出方法によれば、データにて指示された以上にドット間隔が空いてしまうことを防止し、また、ノズル列の端部が対応する媒体上の領域に液体が吐出され過ぎてしまうことを防止する補正値を算出できる。また、液体吐出装置がプリンタであれば画像の粒状性が高められる。
【００１１】
かかる補正値算出方法であって、ある第１ノズルとある第２ノズルとが重なり、別の第１ノズルと別の第２ノズルとが、前記ある第１ノズル及び前記ある第２ノズルよりも、前記他方側に位置して重なり、前記テストパターンを形成するステップにおいて、前記ある第２ノズルよりも前記ある第１ノズルに大きいサイズのドットを形成させ、前記別の第１ノズルよりも前記別の第２ノズルに大きいサイズのドットを形成させること。  
このような補正値算出方法によれば、第１ノズル列と第２ノズル列との特性差を緩和できる補正値を算出できる。
【００１２】
かかる補正値算出方法であって、前記テストパターンを形成するステップにおいて、前記ある画素データの示す階調値を、前記第１ノズル用の第１階調値と、前記第２ノズル用の第２階調値とに分配した後に、前記テストパターンを形成するための各画素データの示す階調値を、前記各画素データに対応する前記媒体上の領域に形成すべきドットサイズを示すドットデータに変換するハーフトーン処理により、前記第１階調値を第１ドットデータに変換し、前記第２階調値を前記第２ドットデータに変換し、前記ある画素データに対応する前記媒体上の領域に、前記第１ドットデータが示すドットサイズのドットを前記第１ノズルに形成させ、前記第２ドットデータが示すドットサイズのドットを前記第２ノズルに形成させること。  
このような補正値算出方法によれば、データにて指示された以上にドット間隔が空いてしまうことを防止し、また、ノズル列の端部が対応する媒体上の領域に液体が吐出され過ぎてしまうことを防止する補正値を算出できる。
【００１３】
かかる補正値算出方法であって、ある第１ノズルとある第２ノズルとが重なり、別の第１ノズルと別の第２ノズルとが、前記ある第１ノズル及び前記ある第２ノズルよりも、前記他方側に位置して重なり、前記テストパターンを形成するステップにおいて、前記ある画素データの示す階調値を、前記ある第２ノズルよりも前記ある第１ノズルにより大きいサイズのドットが形成されるように、前記第１階調値と前記第２階調値とに分配し、前記ある画素データの示す階調値を、前記別の第１ノズルよりも前記別の第２ノズルにより大きいサイズのドットが形成されるように、前記第１階調値と前記第２階調値とに分配すること。  
このような補正値算出方法によれば、第１ノズル列と第２ノズル列との特性差を緩和できる補正値を算出できる。
【００１４】
かかる補正値算出方法であって、前記テストパターンを形成するステップにおいて、ハーフトーン処理により、前記テストパターンを形成するための各画素データの示す階調値を、前記各画素データに対応する前記媒体上の領域に形成すべきドットサイズを示すドットデータに変換し、前記ある画素データに対応する前記媒体上の領域に、前記ある画素データの前記ドットデータが示すドットサイズのドットを、前記第１ノズルと前記第２ノズルとにそれぞれ形成させること。  
このような補正値算出方法によれば、データにて指示された以上にドット間隔が空いてしまうことを防止し、また、ノズル列の端部が対応する媒体上の領域に液体が吐出され過ぎてしまうことを防止する補正値を算出できる。
【００１５】
また、媒体に液体を吐出する複数のノズルが所定方向に並んだ第１ノズル列と、媒体に液体を吐出する複数のノズルが前記所定方向に並んだ第２ノズル列であって、前記所定方向の一方側の端部が前記第１ノズル列の前記所定方向における他方側の端部と重なるように配置された第２ノズル列と、を有する液体吐出装置の液体吐出方法であって、前記液体吐出装置が媒体に液体を吐出するための画素データのうちの、前記第１ノズル列の前記他方側の端部に属する第１ノズルと前記第２ノズル列の前記一方側の端部に属する第２ノズルとが対応付けられる画素データを補正するステップと、補正された前記画素データに基づいて、前記第１ノズルと前記第２ノズルとから、その補正された前記画素データに対応する媒体上の領域に液体を吐出するステップと、を有する液体吐出方法である。  
このような液体吐出方法によれば、データにて指示された以上にドット間隔が空いてしまうことを防止でき、また、ノズル列の端部が対応する媒体上の領域に液体が吐出され過ぎてしまうことを防止できる。
【００１６】
＝＝＝インクジェットプリンタについて＝＝＝
以下、インクジェットプリンタ（以下、プリンタ１という）を液体吐出装置の一例として、以下に説明する。
【００１７】
図１は、印刷システムの構成ブロック図である。図２Ａはプリンタ１の概略断面図であり、図２Ｂはプリンタ１の概略上面図である。まず、コンピュータ６０から印刷データがプリンタ１に送信される。プリンタ１は印刷データを受信すると、コントローラ１０により各ユニット（搬送ユニット２０、駆動ユニット３０、ヘッドユニット４０）を制御し、印刷テープＴに画像を形成する。なお、検出器群５０によりプリンタ１内の状況を監視され、コントローラ１０はその検出結果に基づいて各ユニットを制御する。
【００１８】
搬送ユニット２０は、印刷テープＴが連続する方向（以下、搬送方向）に、印刷テープＴを、上流側から下流側に搬送するものである。モータによって駆動する搬送ローラ２１により、印刷前のロール状の印刷テープＴ１を印刷領域に供給し、その後、印刷済みの印刷テープＴ２を巻取機構によりロール状に巻き取る。なお、印刷中の印刷領域では、印刷テープＴが下からバキューム吸着され、印刷テープＴは所定の位置に保持される。
【００１９】
駆動ユニット３０は、ヘッドユニット４０を、搬送方向と、印刷テープＴの幅方向（搬送方向と交差する方向）とに自在に移動させるものである。駆動ユニット３０は、ヘッドユニット４０を搬送方向に移動させる第１ステージ３１と、第１ステージ３１を幅方向に移動させる第２ステージ３２と、これらを移動させるモータとで、構成されている。
【００２０】
図３は、ヘッドユニット４０の下面のノズル配列を示す。ヘッドユニット４０は第１ヘッド４１（１）と第２ヘッド４１（２）を有する。各ヘッド４１の下面には、インク吐出部であるノズルが複数設けられている。そして、各ヘッド４１の下面には、イエローインクノズル列Ｙと、マゼンタインクノズル列Ｍと、シアンインクノズル列Ｃと、ブラックインクノズル列Ｋが形成されている。各ノズル列はノズルを１８０個ずつ備え、幅方向（所定方向に相当）に一定の間隔（１８０ｄｐｉ）で整列している。幅方向の奥側のノズルから順に若い番号が付されている（＃１、＃２…＃１８０）。
【００２１】
第１ヘッド４１（１）と第２ヘッド４１（２）は幅方向に千鳥状に並んで配置されている。また、第１ヘッド４１（１）が有するノズル列（第１ノズル列に相当）の手前側（他方側に相当）の端部に属する５個のノズル（＃１７６〜＃１８０）と、第２ヘッド４１（２）が有するノズル列（第２ノズル列に相当）の奥側（一方側に相当）の端部に属する５個のノズル（＃１〜＃５）と、が重なるように、第１ヘッド４１（１）と第２ヘッド４１（２）が配置されている。即ち、図中の一点鎖線にて囲まれた領域では、第１ヘッド４１（１）のノズル（例えば＃１７６）と第２ヘッド４１（２）のノズル（例えば＃１）とが搬送方向に並んでいる。
【００２２】
以下、この一点鎖線にて囲まれた領域に属するノズルを「重複ノズル」といい、更に、第１ヘッド４１（１）のノズル＃１７６〜＃１８０を「第１重複ノズル（第１ノズルに相当）」といい、第２ヘッド４１（２）のノズル＃１〜＃５を「第２重複ノズル（第２ノズルに相当）」という。また、第１ヘッド４１（１）のノズル列の手前側端部と第２ヘッド４１（２）のノズル列の奥側端部とが重なる領域（即ち、一点鎖線に囲まれた領域）を、「ヘッドの重複部分」という。
【００２３】
次に、プリンタ１の印刷手順について説明する。まず、搬送ユニット２０により印刷領域に供給された印刷テープＴに対して、ヘッドユニット４０が第１ステージ３１により搬送方向に移動し、この移動中にノズルからインクが吐出される。その結果、印刷テープＴには搬送方向に沿ったドット列が形成される。その後、ヘッドユニット４０は第２ステージ３２により第１ステージ３１を介して幅方向に移動する。そして、再び、ヘッドユニット４０の搬送方向の移動中に、ノズルからインクが吐出され、先程とは違う領域にドット列が形成される。この動作を繰り返すことで、印刷領域に供給された印刷テープＴに画像が印刷される（画像形成動作）。その後、搬送ユニット２０により印刷が成されていない印刷テープＴが印刷領域に供給され（搬送動作）、再び、画像が形成される。この画像形成動作と印刷テープＴの搬送動作とを交互に繰り返すことで、連続する印刷テープＴ（以下、媒体という）に画像が印刷される。
【００２４】
＝＝＝比較例：部分オーバーラップ印刷について＝＝＝
図４Ａは、２つのヘッド４２（１），４２（２）が本実施形態とは異なる位置に配置された状態を示す図である。説明のため、ノズル列が有するノズル数を減らしている。図中の２つのヘッド４２（１），４２（２）は、奥側のヘッド４２（１）のノズル列の手前側端部と、手前側のヘッド４２（２）のノズル列の奥側端部とが重なっていない。即ち、奥側のヘッド４２（１）のノズル列の最も手前側に位置するノズルと、手前側のヘッド４２（２）のノズル列の最も奥側に位置するノズルとの間隔が１８０ｄｐｉとなるように、２つのヘッド４２（１），４２（２）が配置されている。
【００２５】
ところで、ヘッドユニット４０が複数のヘッドを有することで、ヘッドユニット４０の搬送方向への１回の移動にて印刷される画像幅が大きくなる。ゆえに、ヘッドユニット４０の搬送方向への移動回数を削減でき、高速印刷が可能となる。
【００２６】
但し、異なるヘッドにて印刷される画像が幅方向に並ぶため、ヘッドの特性差が画像に現れ易い。特に、図４Ａに示すようにヘッド４２が配置された比較例のプリンタでは、ヘッド４２の特性差が目立ち易く、画像劣化の原因に繋がる。例えば、幅方向の奥側のヘッド４２（１）により形成されるドット径が比較的に大きく（白丸○）、手前側のヘッド４２（２）により形成されるドット径が比較的に小さい（黒丸●）とする。そうすると、異なるヘッド４２により印刷された画像の境目が目立ってしまう。そこで、「部分オーバーラップ印刷」という印刷方法が提案されている。
【００２７】
図４Ｂは、本実施形態とは異なる比較例の印刷方法を示す図である。図４Ｂに描かれている第１ヘッド４１（１）と第２ヘッド４１（２）の配置は、本実施形態のヘッド４１の配置（図３）と同じである。即ち、第１ヘッド４１（１）のノズル列の手前側端部に属するノズル（第１重複ノズル）と、第２ヘッド４１（２）のノズル列の奥側端部に属するノズル（第２重複ノズル）とが重複している。なお、説明のためノズル列のノズル数を減らしている。また、ドットが搬送方向に所定間隔おきに並んだラスタラインが、幅方向にノズルピッチ（１８０ｄｐｉ）で並ぶ画像を印刷するとする。
【００２８】
比較例の印刷方法である「部分オーバーラップ印刷」は、ヘッドの重複部分と対向する媒体上の領域（以下、「重複領域」という）に対して、第１重複ノズルと第２重複ノズルとから交互にインクを吐出する印刷方法である。その結果、重複領域に形成される搬送方向に沿ったドット列（以下、ラスタラインという）は、第１重複ノズルにより形成されたドット（白丸○）と第２重複ノズルにより形成されたドット（黒丸●）が交互に並んで構成されている。なお、第１重複ノズルと第２重複ノズルから交互にインクを吐出するに限らない。例えば、重複領域の奥側のラスタラインでは、第２重複ノズルよりも第１重複ノズルにより形成されるドット数が多くなるようにしてもよい。
【００２９】
このように、重複領域に形成されるラスタラインが、第１重複ノズルと第２重複ノズルにより形成されることで（図４Ｂ）、図４Ａのように、奥側のヘッド４２（１）のみにより形成されるラスタライン（白丸のみのドット列）と手前側のヘッド４２（２）のみにより形成されるラスタライン（黒丸のみのドット列）とが、幅方向に並ぶように印刷される場合に比べて、異なるヘッド４１にて印刷される画像の境目が目立ち難く、ヘッド４１の特性差が画像に現れ難くなる。
【００３０】
なお、第１ヘッド４１（１）のノズル列の全ノズルと、第２ヘッド４１（２）のノズル列の全ノズルとが重なり、全てのラスタラインが第１ヘッド４１（１）のノズルと第２ヘッド４１（２）により形成される印刷方法（オーバーラップ印刷）の方が、部分オーバーラップ印刷よりも、ヘッド４１の特性差を緩和できる。しかし、ヘッドユニット４０の搬送方向への１回の移動にて印刷される画像の幅が小さくなるため、印刷速度が低下してしまう。つまり、部分オーバーラップ印刷のように、異なるヘッド４１のノズル列の端部のノズルのみを重ねて、ヘッド４１の繋ぎ目に対応する領域（重複領域）に形成するラスタラインのみ、異なる２つのヘッド４１のノズルにより形成することで、高速印刷を実現し、且つ、ヘッドの特性差を緩和できる。
【００３１】
図５は、第２ヘッド４１（２）に取付誤差が生じた際の部分オーバーラップ印刷の様子を示す図である。ノズル列のノズル間隔は微小であり（本実施形態は１８０ｄｐｉ）、複数のヘッド４１を誤差なく取り付けることは難しい。ここで、第２ヘッド４１（２）が幅方向の手前側にずれて取り付けられたとする。この場合、本来であれば、第１ヘッド４１（２）の第１重複ノズル（例えば＃８）と、それに対応する第２ヘッド４１（２）の第２重複ノズル（例えば＃１）とが搬送方向に並ぶところを、第２重複ノズル（＃１）が第１重複ノズル（＃８）に対して幅方向の手前側に位置する。
【００３２】
その結果、重複領域において、図４Ｂに示すように、第１重複ノズルにより形成されるドットと第２重複ノズルにより形成されるドットとが搬送方向に並ぶことがなく、第１重複ノズルにより形成され、搬送方向に並ぶドット（白丸○）の間に、第２重複ノズルによるドット（黒丸●）が形成されない。即ち、重複領域以外の媒体上の領域では、搬送方向に所定間隔にてドットが並んでいるのに対して、重複領域では搬送方向にドットが１個おきに（所定間隔の倍の間隔にて）形成されることになる。つまり、重複領域はそれ以外の領域に比べて、ドット間の隙間が大きいために淡く視認され、画像全体で濃度むらが発生してしまう。
【００３３】
そこで、本実施形態では、高速印刷を目的として複数のヘッド４１を有するプリンタ１において、異なるヘッド４１の特性差が画像に現れ難くなるようにし、また、ヘッド４１の取付誤差などによる発生する濃度むら（重複領域の淡さ）を抑制することを目的とする。
【００３４】
＝＝＝第１実施形態の印刷方法について＝＝＝
図６は、本実施形態の印刷方法の概略を示す図である。例えば、ドットが搬送方向に所定間隔おきに並んだラスタラインが、幅方向にノズルピッチ（１８０ｄｐｉ）で並ぶ画像を印刷する際に、本実施形態では、第１重複ノズル及び第２重複ノズルも、それ以外のノズルと同様に、搬送方向に所定間隔おきにドットを形成する。そのため、ヘッド４１に取付誤差が生じず、第１重複ノズル（例えば＃８）と、それに対応する第２重複ノズル（例えば＃１）とが、搬送方向に並んで位置する場合、第１重複ノズルにより形成されるドット列と、第２重複ノズルにより形成されるドット列とが、重なって形成される。図６では、第２ヘッド４１（２）の取付誤差により、第２重複ノズルが第１重複ノズルに対して幅方向の手前側に位置している。また、比較例の部分オーバーラップ印刷（図５）では、印刷されないドットを斜線のドットにて示している。
【００３５】
このように、重複領域に対して、第１重複ノズルと第２重複ノズルの両方のノズルにより、所定間隔おきにドットを形成することで、比較例（図５）の重複領域のように、搬送方向に並ぶドットが所定間隔よりも広くなってしまい、淡く視認されてしまうことを防止できる。即ち、比較例のように、ヘッド４１の取付誤差等により、第１重複ノズルにより形成されたドット間に、第２重複ノズルによるドットが形成されずに、ドット間の隙間が大きくなり、重複領域の画像とそれ以外の領域の画像とにおいて濃度むらが発生してしまうことを防止できる。
【００３６】
ここで、媒体上に仮想的に定められたマス目の１つのマス目に対して、データ上における１つの画素が対応するとする。その画素の示す濃度（階調値）が画素データである。そして、ある画素データに基づいて、その画素に対応する媒体上の領域に対して、その画素データに割り当てられたノズルからの液体吐出が制御されるとする。
【００３７】
本実施形態のような印刷（図６）を行うために、印刷データを作成する際に、媒体上の重複領域に対応する１つの画素データに対して、第１重複ノズルと第２重複ノズルとが割り当てられる。逆に言えば、１つの画素データに基づいて、第１重複ノズルと第２重複ノズルとから液体が吐出される。つまり、本実施形態の印刷システムでは、第１重複ノズルと第２重複ノズルが割り当てられた画素データに基づいて、第１重複ノズルと第２重複ノズルからの、その画素データに対応する媒体上の領域へのインク（液体）の吐出が制御される。  
一方、比較例の部分オーバーラップ印刷では、重複領域に対応する１つの画素データに対して、第１重複ノズルか、又は、第２重複ノズルが割り当てられる。そして、第１重複ノズルが割り当てられた画素データと、第２重複ノズルが割り当てられた画素データにより、第１重複ノズルによるドットと第２重複ノズルによるドットが交互に並んだラスタラインが形成される。
【００３８】
つまり、異なるヘッド４１（１），４１（２）の繋ぎ目部分（ヘッドの重複部分）と対向する媒体上の領域（重複領域）のうちのある領域（１つの画素データに対応する媒体上の領域）に対して、一方のヘッド４１（１）のノズル（第１重複ノズル）と他方のヘッド４１（２）のノズル（第２重複ノズル）の両方のノズルから液体を吐出することで、ヘッド４１（１），４１（２）に取付誤差が生じたとしても、印刷データにて指示された所定間隔以上にドット間隔が空いてしまうことを防止できる。
【００３９】
また、異なるヘッド４１（１），４１（２）の繋ぎ目部分（ヘッドの重複部分）と対向する媒体上の領域（重複領域）には、第１ヘッド４１（１）によるドット（白丸○）と第２ヘッド４１（２）によりドット（黒丸●）が形成されるため、図４Ａのように異なるヘッドにより形成されたラスタラインが幅方向に並んでしまう場合に比べて、ヘッド４１の特性差が画像に現れ難い。
【００４０】
但し、重複領域では、第１重複ノズルによるドットと第２重複ノズルによるドットが重なるように形成されるため、印刷データにて指示された階調値よりも濃く印刷される傾向がある。そのため、低い階調値にて淡く印刷する場合には、重複領域の濃さが重複領域以外の媒体上の領域に比べて目立ってしまう虞がある。
【００４１】
そこで、第１実施形態では、重複領域に印刷される画像の濃さを列領域ごと（画素列ごと）の補正値Ｈに基づいて補正する。なお、画素列とは、印刷データ上において、搬送方向に対応する方向に複数の画素が並んだ画素のことをいう。また、画素列に対応する媒体上の領域を「列領域」という。
【００４２】
図７Ａから図７Ｃは、列領域ごとの補正値Ｈに基づいて重複領域の補正を行わない場合の印刷の様子を示す図である。図７Ａでは、ヘッド４１の取付誤差等がなく、第１重複ノズルと第２重複ノズルとが搬送方向に並ぶ場合に印刷されるドットの様子を示す図である。補正値Ｈに基づく補正が行われないと、重複領域に対して、第１重複ノズルから吐出されるインク滴と第２重複ノズルから吐出されるインク滴が重なって着弾する。そのため、重複領域には、それ以外の領域よりも大きなドットが形成される。即ち、重複領域以外の１番目から３番目の列領域の濃度よりも、重複領域である４番目から６番目の列領域の濃度の方が濃く視認される。この重複領域（４番目から６番目の列領域）の濃さを、列領域ごとの補正値Ｈを用いて補正する。
【００４３】
また、図７Ａに示すように、重複領域である４番目の列領域に隣接する３番目の列領域には、４番目の列領域に形成される大きなドットがはみ出す場合がある。このとき、３番目の列領域は重複領域ではないが他の列領域（１番目や２番目の列領域）よりも濃く視認されてしまう。即ち、重複領域と隣接する列領域も重複領域に形成されるドットの影響を受けて、濃く視認される場合がある。そのため、第１実施形態では、重複領域以外の列領域の濃度も補正値Ｈを用いて補正する。
【００４４】
図７Ｂでは、第１重複ノズルに対して第２重複ノズルが幅方向の奥側にずれて取り付けられた場合に印刷されるドットの様子を示している。図示するように、ヘッド４１に取付誤差が発生したとしても、本実施形態では、第１重複ノズルによるドットと第２重複ノズルによるドットとが重なるように形成されるため、重複領域（ヘッドの繋ぎ目に対応する領域）のドット間隔が空きすぎてしまうことを防止できる。そして、列領域ごとの補正値Ｈにより、第１重複ノズルと第２重複ノズルとによりドットが重なるように形成される重複領域の濃さが補正される。
【００４５】
また、第２重複ノズルにより形成されるドットが３番目の列領域にはみ出して形成される。そのため、３番目の列領域は重複領域ではないが濃く視認されてしまうので、重複領域以外の列領域も補正値Ｈを用いて濃度補正することで、より高画質な画像が得られる。
【００４６】
図７Ｃは、第１重複ノズルに対して第２重複ノズルが幅方向の手前側にずれて取り付けられた場合に印刷されるドットの様子を示している。この場合、４番目の列領域に形成されるはずである第２重複ノズルによるドットが、５番目の列領域に寄って形成される。その結果、４番目の列領域は、重複領域であるにも関わらず、他の重複領域に属する列領域ほど濃く印刷されない。そのため、他の重複領域に属する列領域と同様に、４番目の列領域の濃度補正処理を行ってしまうと、４番目の列領域は淡く視認されてしまう。そのため、列領域ごとの補正値Ｈにより濃度補正処理を行うことで、より正確に濃度補正を行うことができる。
【００４７】
つまり、媒体上の列領域に同じノズルにより形成された画像であっても、隣接する列領域に対応付けられたノズルの影響を受けて、濃度が異なる場合がある。このような場合、単にノズルに対応付けた補正値では、濃度むらの抑制効果は低い。そのため、列領域ごとの補正値Ｈを算出することで、より正確に濃度むらを抑制できる。
【００４８】
また、ヘッド４１だけでなくノズルごとによっても特性が異なる。そのため、重複ノズルであっても、それ以外のノズルであっても、例えば、インク吐出量が既定量よりも少なかったり、多かったりする場合がある。この場合、既定量よりも少ない量のインクを吐出するノズルが対応する列領域は淡く視認され、既定量よりも多い量のインクを吐出するノズルが対応する列領域は濃く視認されてしまう。また、吐出されたインク滴が飛行曲がりするノズルの影響を受ける列領域の濃度も、列領域ごとの補正値Ｈによれば、自身の列領域に対応付けられたノズルだけでなく、隣接する列領域に対応付けられたノズルも考慮して補正される。即ち、列領域ごとの補正値Ｈにより、第１重複ノズルと第２重複ノズルによりドットが重なるように形成される重複領域の濃さだけでなく、それ以外の原因による濃度むらも解消できる。
【００４９】
図８は、第１実施形態の補正値Ｈの算出方法のフローである。列領域ごと（画素列ごと）の補正値Ｈを算出するために、本実施形態では、製造工程等において、プリンタ１に実際にテストパターンを印刷させる。以下、補正値Ｈの算出方法について説明する。
【００５０】
＜Ｓ００１：テストパターンの印刷＞
図９Ａは、テストパターンを示す図であり、図９Ｂは、補正用パターンを示す図である。コンピュータ６０はプリンタドライバに従ってプリンタ１に図９Ａに示すようなテストパターンを印刷させる。このとき、重複ノズルが割り当てられた画素データ（ある画素データに相当）に基づいて、その画素データと対応する媒体上の領域に対して、第１重複ノズルと第２重複ノズルとからインクを吐出させる。一方、重複ノズル以外のノズルが割り当てられた画素データと対応する媒体上の領域に対しては、１つのノズルからインクが吐出される。
【００５１】
テストパターンは、異なる色のノズル列ごと（シアン・マゼンタ・イエロー・ブラック）に形成された４つの補正用パターンによって構成される。各補正用パターンは３種類の濃度の帯状パターンから構成される。帯状パターンはそれぞれ一定の階調値の画像データから生成されたものである。帯状パターンの階調値を指令階調値と呼び、濃度３０％の帯状パターンの指令階調値をＳａ（７６）、濃度５０％の帯状パターンの指令階調値をＳｂ（１２８）、濃度７０％の帯状パターンの指令階調値をＳｃ（１７９）、と表す。
【００５２】
本実施形態のプリンタ１は、ヘッドユニット４０の搬送方向への１回の移動（パス）によりバンド画像が印刷されると、バンド画像分だけヘッドユニット４０が幅方向に移動し、先に印刷されたバンド画像と搬送方向に並ぶように、次のパスにて、再びバンド画像が印刷されるようなバンド印刷を行うとする。即ち、あるパスで形成されたラスタラインの間に、他のパスで形成されるラスタラインが印刷されることはない。前述のように、ある列領域の濃度は、その列領域に対応付けられたノズルと、その列領域と隣接する列領域に対応付けられたノズルの特性によって異なってくる。バンド印刷では、あるパスで形成されたラスタラインの間に、他のパスで形成されるラスタラインが印刷されることがない。そのため、補正用パターンを２回のパスにて形成すれば、列領域ごとの補正値Ｈを算出できる。ゆえに、補正用パターンは２回のパスにて形成される７１０個（＝（１８０＋１７５）×２）のラスタラインから構成されるとする。また、重複ノズル以外のノズルが割り当てられる列領域の補正値Ｈを算出しない場合には、重複ノズルとそれに隣接するノズルのみをもちいて、補正用パターンを形成するとよい。
【００５３】
＜Ｓ００２：読取階調値の取得＞
次に、印刷されたテストパターンをスキャナで読み取り、読取階調値を取得する。例えば、図９Ａに示すように、テストパターンが印刷された用紙のシアンの補正用パターンを囲む範囲（一点鎖線）を読取範囲とすればよい。同様に、他のノズル列が形成した補正用パターンも読み取る。読み取った補正用パターンの画像（一点鎖線の範囲）が傾いている場合には、画像の傾きθを検出し、画像データに対して傾きθに応じた回転処理を行う。
【００５４】
なお、補正用パターンを読み取った画像データ上においても、「列領域」に対応する領域を「画素列」とする。そして、補正用パターンよりも大きい範囲（一点鎖線の範囲）にて読み取った画像データのうちの不要な画素をトリミングする。そうして、読取画像データ上において、搬送方向に相当する方向の画素列数を、補正用パターンのラスタラインの数（列領域の数）と同数になるようにする。つまり、画素列と列領域を一対一で対応させる。例えば、一番上に位置する画素列が１番目の列領域に対応し、その下に位置する画素列は２番目の列領域に対応する。
【００５５】
図１０は、濃度３０％から７０％の帯状パターンの読取結果をグラフにて示した図である。画素列と列領域を一対一で対応させた後、帯状パターンごとに、各列領域の濃度を算出する。ある列領域に対応する画素列の各画素の読取階調値の平均値を、その列領域の読取階調値とする。図１０では、横軸が列領域番号であり、縦軸が読取階調値である。グラフに示されるように、各帯状パターンは、それぞれの指令階調値で一様に形成されたにも関わらず、列領域ごとに読取階調値にばらつきが生じている。この列領域ごとの濃度のばらつきが印刷画像の濃度むらの原因となる。特に、重複領域に属する列領域の濃度はそれ以外の領域に属する列領域の濃度に比べて、読取階調値が高くなる。
【００５６】
＜Ｓ００３：補正値Ｈの算出＞
図１０に示すように、重複領域に属する列領域の読取階調値は、重複領域以外の列領域の読取階調値よりも高い階調値となっている。そこで、スキャナによるテストパターンの読取階調値に基づいて、重複領域（第１ノズルと第２ノズルとから液体が吐出される領域に相当）の補正値を算出する。また、重複領域に限らず、図１０に示すように、列領域ごとにも濃度のばらつき（読取階調値のばらつき）が発生している。本実施形態では、重複領域の濃さを補正するだけでなく、この列領域ごとの濃度のばらつきも補正する。そのためには、同一の階調値における列領域ごとの濃度のばらつきをなくせばよい。即ち、各列領域の濃度を一定の値に近づけることで、濃度むらが改善される。
【００５７】
そこで、同一の指令階調値、例えば、Ｓｂにおいて、全列領域の読取階調値の平均値Ｃｂｔを、「目標値Ｃｂｔ」として設定する。そして、指令階調値Ｓｂにおける各列領域の読取階調値を目標値Ｃｂｔに近づけるように、各列領域に対応する画素の階調値を補正する。なお、重複領域に属する列領域の読取階調値は高い階調値であるため、重複領域以外の列領域の読取階調値の平均値を目標値とするとよい。
【００５８】
指令階調値Ｓｂに対する読取階調値Ｃｂｉが目標値Ｃｂｔよりも低い列領域ｉでは、指令階調値Ｓｂの設定よりも濃く印刷されるように、ハーフトーン処理前の階調値を補正する。一方、目標値Ｃｂｔよりも読取階調値の高い列領域ｊ（Ｃｂｊ）では、指令階調値Ｓｂの設定よりも淡く印刷されるように階調値を補正する。
【００５９】
図１１Ａは、目標の階調値Ｃｂｔよりも読取結果の低いｉ列領域の目標階調値Ｓｂｔの算出方法を示す図である。横軸が指令階調値を示し、縦軸が読取階調値を示す。グラフ上には、指令階調値（Ｓａ，Ｓｂ，Ｓｃ）に対するｉ列領域のシアンの読取結果（Ｃａｉ，Ｃｂｉ，Ｃｃｉ）がプロットされている。指令階調値Ｓｂに対してｉ列領域が目標値Ｃｂｔにて表されるための目標指令階調値Ｓｂｔは次式（直線ＢＣに基づく線形補間）により算出される。  
Ｓｂｔ＝Ｓｂ＋（Ｓｃ−Ｓｂ）×｛（Ｃｂｔ−Ｃｂｉ）／（Ｃｃｉ−Ｃｂｉ）｝
【００６０】
図１１Ｂは、目標の階調値Ｃｂｔよりも読取結果の高いｊ列領域の目標階調値Ｓｂｔの算出方法を示す図である。グラフ上には、ｊ列領域のシアンの読取結果がプロットされている。指令階調値Ｓｂに対してｊ列領域が目標値Ｃｂｔにて表されるための目標指令階調値Ｓｂｔは次式（直線ＡＢに基づく線形補間）により算出される。  
Ｓｂｔ＝Ｓａ＋（Ｓｂ−Ｓａ）×｛（Ｃｂｔ−Ｃａｊ）／（Ｃｂｊ−Ｃａｊ）｝
【００６１】
こうして、指令階調値Ｓｂに対して、各列領域の濃度が目標値Ｃｂｔにて表されるための目標指令階調値Ｓｂｔを算出した後、次式により、各列領域の指令階調値Ｓｂに対する補正値Ｈを算出する。  
Ｈｂ＝（Ｓｂｔ−Ｓｂ）／Ｓｂ
【００６２】
同様にして、３つの指令階調値（Ｓａ，Ｓｂ，Ｓｃ）に対する３つの補正値（Ｈａ，Ｈｂ，Ｈｃ）を列領域ごとに算出する。また、シアンだけでなく、その他のノズル列の補正値Ｈも算出する。なお、本実施形態の補正用パターンは、バンド印刷方法によりヘッドユニット４０の２回のパスにて形成されている。そこで、対応する２つの列領域の補正値Ｈの平均値を、その列領域の補正値Ｈとするとよい。
【００６３】
＜Ｓ００４：補正値Ｈの記憶について＞
図１２は、補正値テーブルである。補正値Ｈの算出後、補正値Ｈをプリンタ１のメモリ５３に記憶させる。補正値テーブルには、３つの指令階調値に対する３つの補正値（Ｈａ_ｉ，Ｈｂ_ｉ，Ｈｃ_ｉ）が列領域ｉごとに対応付けられている。補正値テーブルには、ヘッドユニット４０の１回のパスにて印刷の対象となる列領域の補正値Ｈが記憶される。そして、列領域番号１７６から１８０の補正値Ｈが重複領域の補正値Ｈとなる。
【００６４】
＜ユーザーのもとでの印刷について＞
図１３は、第１実施形態の印刷データ作成処理のフローである。プリンタ１の製造工程において、濃度むら補正のための補正値Ｈが算出され、補正値Ｈがプリンタのメモリ５３に記憶された後、プリンタ１は出荷される。そして、ユーザーが、プリンタ１を使用する際にプリンタドライバをインストールすると、プリンタドライバはプリンタ１に対してメモリ５３に記憶されている補正値Ｈをコンピュータ６０に送信するように要求する。プリンタドライバは、プリンタ１から送られてくる補正値Ｈをコンピュータ６０内のメモリに記憶する。
【００６５】
そして、プリンタドライバは、ユーザーからの印刷命令を受けると、図１３の印刷データ作成処理のフローに従って印刷データを作成する。まず、解像度変換処理（Ｓ１０１）により、アプリケーションプログラムから出力された画像データを、用紙Ｓに印刷する際の解像度に変換する。次に、色変換処理（Ｓ１０２）により、ＲＧＢデータを、プリンタ１のインクに対応したＣＭＹＫ色空間により表されるＣＭＹＫデータに変換する。
【００６６】
その後、画素データの示す高階調の階調値を補正値Ｈにより補正する（Ｓ１０３、階調値変換処理）。プリンタドライバは、各画素データの階調値（以下、補正前の階調値Ｓ_ｉｎとする）を、その画素データが対応する列領域の補正値Ｈに基づいて補正する（補正後の階調値Ｓ_ｏｕｔとする）。
【００６７】
補正前の階調値Ｓ_ｉｎが指令階調値のいずれかＳａ，Ｓｂ，Ｓｃと同じであれば、コンピュータ６０のメモリに記憶されている補正値Ｈａ，Ｈｂ，Ｈｃをそのまま用いることができる。例えば、補正前の階調値Ｓ_ｉｎ＝Ｓｃであれば、補正後の階調値Ｓ_ｏｕｔは次式により求められる。  
Ｓ_ｏｕｔ＝Ｓｃ×（１＋Ｈｃ）
【００６８】
図１４は、シアンのｉ番目の列領域の補正前の階調値Ｓ_ｉｎが指令階調値と異なる場合の補正方法を示す図である。横軸を補正前の階調値Ｓ_ｉｎとし、縦軸を補正後の階調値Ｓ_ｏｕｔとする。補正前の階調値Ｓ_ｉｎが指令階調値ＳａとＳｂの間であるとき、指令階調値Ｓａの補正値Ｈａと指令階調値Ｓｂの補正値Ｈｂを基に線形補間によって次式により補正後の階調値Ｓ_ｏｕｔを算出する。  
Ｓ_ｏｕｔ＝Ｓａ+（Ｓ’ｂｔ−Ｓ’ａｔ）×｛（Ｓ_ｉｎ−Ｓａ）／（Ｓｂ−Ｓａ）｝
【００６９】
なお、補正前の階調値Ｓ_ｉｎが指令階調値Ｓａよりも小さい場合には、階調値０（最低階調値）と指令階調値Ｓａの線形補間によって、補正後の階調値Ｓ_ｏｕｔを算出する。補正前の階調値Ｓ_ｉｎが指令階調値Ｓｃよりも大きい場合には、階調値２５５（最高階調値）と指令階調値Ｓｃの線形補間によって、補正後の階調値Ｓ_ｏｕｔを算出する。また、これに限らず、指令階調値とは異なる補正前の階調値Ｓ_ｉｎに対応した補正値Ｈ_ｏｕｔを算出し、補正後の階調値Ｓ_ｏｕｔを算出してもよい（Ｓ_ｏｕｔ＝Ｓ_ｉｎ×（１＋Ｈ_ｏｕｔ））。
【００７０】
こうして、列領域ごとの濃度補正処理が行われた後に、ハーフトーン処理（Ｓ１０４）により、高階調数のデータを、プリンタ１が形成可能な階調数のデータに変換する。最後に、ラスタライズ処理（Ｓ１０５）により、マトリクス状の画像データを、プリンタ１に転送すべきデータ順に、画素データごとに並べ替えられる。これらの処理を経て生成された印刷データは、印刷方式に応じたコマンドデータ（搬送量など）と共に、プリンタドライバによりプリンタ１に送信される。
【００７１】
＝＝＝第２実施形態の印刷方法について＝＝＝
前述の第１実施形態では、重複ノズルによりドットが重なるように形成される重複領域の濃さを、列領域ごとの補正値Ｈにより補正している。この第２実施形態では、重複領域に対して、列領域ごとの補正値Ｈによる補正と、後述の濃度補正処理（補正例１〜補正例３）を行う。つまり、濃度補正処理では補正しきれない濃度むらを、列領域ごとの補正値Ｈにより補正することになる。そのため、重複領域の濃度補正をより精度良く行うことができる。以下、濃度補正処理の方法について説明する。
【００７２】
＜補正例１＞
図１５Ａは、本実施形態のプリンタ１が印刷可能なドットの種類を示す図である。本実施形態の１つの画素は、「特大ドットを形成する」、「大ドットを形成する」、「中ドットを形成する」、「小ドットを形成する」、「極小ドットを形成する」、「ドットを形成しない」、の６階調にて表現される。
【００７３】
図１５Ｂは、重複画素データを第１重複ノズル用の画素データと第２重複ノズル用の画素データに置き換える様子を示す図である。この補正例１では、印刷データ作成中に、アプリケーションソフトからの画像データを、解像度変換処理し、色変換処理し、ハーフトーン処理したデータにおいて、重複領域に対応するデータを重複ノズル用の画素データに置き換える。例えば、ハーフトーン処理後の重複画素データが「特大ドット」を形成するように指示している場合には、第１重複ノズルと第２重複ノズルに、特大ドットよりもサイズの小さい「大ドット」を形成させる。そのために、「特大ドットを形成する」という重複画素データを、「大ドットを形成する」という第１重複ノズル用の画素データと、同じく「大ドットを形成する」という第２重複ノズル用の画素データとに置き換える。同様に、重複画素データが「大ドット」を形成するように指示している場合には、第１重複ノズルと第２重複ノズルに大ドットよりもサイズの小さい「中ドット」を形成させるようにデータを置き換える。
【００７４】
このように、補正例１では、重複画素データに対応する媒体上の領域に、その重複画素データが示すドットサイズよりも小さいドット（又は、その重複画素データが示すドットサイズ以下のドット）を、第１重複ノズルと第２重複ノズルに形成させるように、ハーフトーン処理後の重複画素データを、重複ノズル用の画素データに置き換える。なお、重複画素データが「極小ドット」を形成するように指示している場合には、第１重複ノズルか第２重複ノズルのどちらかに極小ドットを形成させるとよい。このとき、第１重複ノズルにより形成される極小ドット数と第２重複ノズルによる極小ドット数とが同程度となるようすることで、ヘッド４１の特性差が画像に現れ難くなる。
【００７５】
また、第２実施形態でも前述の第１実施形態と同様に、プリンタの検査工程等において、列領域ごとの補正値Ｈを算出する。そのためのテストパターンを形成する際に、まず、指令階調値Ｓａ〜Ｓｃ（テストパターンを形成するための各画素データの示す階調値に相当）をハーフトーン処理する。そして、重複ノズルが対応付けられる画素データの示すドットサイズ以下のドットを、第１重複ノズルと第２重複ノズルにそれぞれ形成させて、テストパターンを形成する。そして、そのテストパターンの読取結果に基づいて、重複領域に対する列領域ごとの補正値Ｈを算出する。そうすることで、重複ノズルが対応付けられる領域（重複領域）の濃さを、重複ノズルに形成させるドットサイズを小さくするだけでは解消できない場合にも、補正値Ｈにより補正できる。また、重複ノズルに形成させるドットサイズを小さくしたことにより、重複領域が淡く印刷され過ぎてしまった場合にも、補正値Ｈにより補正できる。
【００７６】
図１６Ａは、重複領域の濃さに対する補正が行われない場合のドット形成の様子を示し、図１６Ｂは、重複領域に対して補正例１の濃度補正処理が行われた場合のドット形成の様子を示す図である。ハーフトーン処理後の画素データが全て「大ドット」を形成するように指示しているとする。また、第１重複ノズルに対して第２重複ノズルが幅方向の手前側にずれて配置されているとする。図１６Ａでは、ハーフトーン処理後の重複画素データ「大ドット形成」に対して、第１重複ノズルと第２重複ノズルによりそれぞれ「大ドット」が形成される。そうすることで、ヘッド４１の取付誤差により、第１重複ノズルに対して第２重複ノズルが幅方向にずれていても、部分オーバーラップ印刷を行うときのように、印刷データにて指示された以上にドット間に大きな隙間が生じてしまうことを防止できる。その一方で、重複領域では、第１重複ノズルと第２重複ノズルにより大ドットが重なるように形成されるため、重複領域以外の領域に比べて、大ドットが多く形成され、濃く視認されてしまう。
【００７７】
一方、図１６Ｂでは、「大ドット形成」という重複画素データを補正例１の濃度補正方法に従い、「中ドット形成」という第１重複ノズル用の画素データと、同じく「中ドット形成」という第２重複ノズル用の画素データとに置き換える。その結果、重複領域以外の領域には「大ドット」が形成され、重複領域には、第１重複ノズルと第２重複ノズルとにより、大ドットよりも小さいサイズの「中ドット」が形成される。即ち、重複領域では、重複領域以外の領域に比べて形成されるドット数は多いが、形成されるドットサイズが小さい。そのため、結果的には、重複領域以外の領域に向けて吐出されるインク量と、重複領域に向けて吐出されるインク量を同等にすることができ、重複領域がそれ以外の領域よりも濃く視認されてしまうことを防止でき、濃度むらが解消される。
【００７８】
図１７は、印刷データ作成中における補正例１の濃度補正処理のイメージ図である。補正例１ではハーフトーン処理後の画素データに対して濃度補正処理を行う。図中のマス目を１つの画素とし、画素に「大」が記されていれば、その画素に対応する媒体上の領域に「大ドット」を形成し、画素に「中」が記されていれば、その画素に対応する媒体上の領域に「中ドット」を形成するとする。ハーフトーン処理後の画素データによると、全ての画素データが「大ドット」を形成するように示している。
【００７９】
その後、濃度補正処理において、重複ノズルが割り当てられる重複画素（太線内）のデータを、第１重複ノズル用の画素データと第２重複ノズル用の画素データとに置き換える。重複画素データが「大ドット形成」を示す場合には、「中ドット形成」という第１重複ノズル用の画素データと、「中ドット形成」という第２重複ノズル用の画素データに置き換えられる。そのため、図１７の濃度補正処理後の画像データでは、太線に囲まれた第１重複ノズル用の画素データ及び、第２重複ノズル用の画素データには、「中」が記されている。なお、重複画素データ以外の画素データは変換されることなく、「大ドット形成」のままである。最後に、ラスタライズ処理により、各画素データが、インクが吐出される順に対応するノズルに割り当てられるように、並び替えられて、プリンタ１に送信される。
【００８０】
こうすることで、図１６Ｂに示すように、重複領域には、第１重複ノズルと第２重複ノズルにより「中ドット」が重なるように形成され、重複領域以外の領域には「大ドット」が形成される。その結果、重複領域がそれ以外の領域よりも濃く視認されてしまうことを防止でき、濃度むらが解消される。
【００８１】
以上をまとめると、この補正例１では、重複領域に対応する重複画素データを、第１重複ノズル用の画素データ、及び、第２重複ノズル用画素データとして、その重複画素データが示すドットサイズよりも小さいサイズのドットが形成されるデータに変換する。その結果、第１重複ノズルと第２重複ノズルにてドットが重なるようにして形成されることによる重複領域の濃さを補正できる。そして、重複画素データが示すドットサイズ以下のドットを、第１重複ノズルと第２重複ノズルにより形成させる濃度補正処理を行うだけでは補正しきれない濃度むらを列領域ごとの補正値Ｈにより補正する。
【００８２】
また、補正例１では、例えば、重複領域に対して大ドットを形成するように指示された際に、２つの重複ノズルから中ドットを形成することによって、結果的に、重複領域に向けて吐出されるインク量を同等にしている。そのため、同じ濃度の画像を印刷する際に、重複領域ではそれ以外の領域に比べて、小さいサイズのドットにより印刷されるため、粒状性が高く、より高画質な画像が得られる。
【００８３】
＜補正例１の変形例＞
前述の補正例１では、図１５Ｂに示すように、重複画素データが「大ドット形成」を示している場合に、その全ての重複画素データを、第１重複ノズルと第２重複ノズルによりそれぞれ中ドットが形成されるデータに置き換えているが、これに限らない。
【００８４】
例えば、「大ドット形成」を示す重複画素データが１０個あるときに、そのうちの５個の重複画素データを、「中ドット形成」という第１重複ノズル用の画素データ及び第２重複ノズル用の画素データに置き換える。そして、残りの５個の重複画素データを、「中ドット形成」という第１重複ノズル用の画素データと、「小ドット形成」という第２重複ノズル用画素データとに置き換えてもよい。そうすることで、「大ドット形成」を示す全ての重複画素データに対して、第１重複ノズルと第２重複ノズルに「中ドット」を形成すると、重複領域が未だ濃く印刷されてしまう場合に、一部の重複画素データに対して、第２重複ノズルに「小ドット」を形成させることで、重複領域の濃さをより確実に補正できる。このように同じ重複画素データであっても、重複画素データによって、第１重複ノズル用の画素データと第２重複ノズル用の画素データとに置き換える際に、異なるデータに置き換えても良い。
【００８５】
＜補正例２＞
本実施形態では、２つのヘッド４１（１），４１（２）の繋ぎ目部分（ヘッドの重複部分）にて画像が印刷される重複領域において、第１ヘッド４１（１）のノズルと第２ヘッド４１（２）のノズルとによりドットが重なるように形成される。そのため、２つのヘッド４１（１），４１（２）の特性差が画像に現れ難い。そして、この補正例２では、更に、ヘッド４１（１），４１（２）の特性差を緩和するために、ハーフトーン処理後の重複画素データを、第１重複ノズル用の画素データと第２重複ノズル用の画素データとに置き換える際に、階調性をもたせる。そのため、補正例２の濃度補正処理は、補正例１と同様に（図７）、ハーフトーン処理後に行われる。
【００８６】
図１８Ａは、ハーフトーン処理後に、「特大ドット形成」を示す重複画素データを、階調性を持たせて、第１重複ノズル用の画素データと第２重複ノズル用の画素データに置き換えるパターンを示す図である。図１８Ｂは、図１８Ａに示すパターンに従って、重複領域のドットが形成された様子を示す図である。説明の為ノズル列のノズル数を減らし、全ての画素データが「特大ドット形成」を示すとする。また、第１重複ノズルに対して、第２重複ノズルが幅方向の手前側にずれて取り付けられている。そして、第１ヘッド４１（１）と第２ヘッド４１（２）との特性差を表すために、第１ヘッド４１（１）により形成されるドットを丸（○）にて示し、第２ヘッド４１（２）により形成されるドットを三角（△）にて示す。
【００８７】
本実施形態のプリンタ１は各ヘッド４１が重複ノズルを５個ずつ有する（図３）。そこで、ハーフトーン処理後の重複画素データが「特大ドット」を形成するように示している場合に、５個の第１重複ノズル（＃１７６〜＃１８０）のうちの最も奥側のノズル＃１７６（ある第１ノズルに相当）に「特大ドット」を形成させ、同じく、５個の第２重複ノズル（＃１〜＃５）のうちの最も奥側のノズル＃１（ある第２ノズルに相当）に「極小ドット」を形成させるように、データを置き換える。そのため、図１８Ｂに示すように、重複領域の奥側では、第１重複ノズル＃１７６により形成される特大ドットのラスタライン（○）と、第２重複ノズル＃１により形成される極小ドットのラスタライン（△）が形成される。
【００８８】
５個の重複ノズルにおいて、手前側の重複ノズルになるにつれて、第１重複ノズルが形成するドットサイズは小さくなり、逆に、第２重複ノズルが形成するドットサイズは大きくなるように、重複画素データが第１重複ノズル用の画素データ及び第２重複ノズル用の画素データに置き換えられる。そうすることで、重複領域の中央では、第１重複ノズル＃１７８と第２重複ノズル＃３によりそれぞれ中ドットのラスタラインが形成される。そして、重複領域の手前側では、第１重複ノズル＃１８０（別の第１ノズルに相当）により形成される極小ドットのラスタライン（○）と、第２重複ノズル＃５（別の第２ノズルに相当）により形成される特大ドットのラスタライン（△）が形成される。
【００８９】
つまり、重複領域の奥側、即ち、第１ヘッド４１（１）側では、第１重複ノズル（ある第１ノズルに相当）により形成されるドットの方が第２重複ノズル（ある第２ノズルに相当）により形成されるドットよりも大きくなるようにし、重複領域の手前側、即ち、第２ヘッド４１（２）側では、第２重複ノズル（別の第２ノズルに相当）により形成されるドットの方が第１重複ノズル（別の第１ノズルに相当）により形成されるドットよりも大きくなるようにする。その結果、重複領域に印刷される画像の奥側部分では、第２重複ノズルよりも第１重複ノズルの影響が大きく、手前側部分では、第１重複ノズルよりも第２重複ノズルの影響が大きくなる。そのため、幅方向の奥側から手前側にかけて、第１ヘッド４１（１）のノズルのみにより形成される画像（○）から第２ヘッド４１（２）のノズルのみにより形成される画像（△）に移行する際に、第１ヘッド４１（１）と第２ヘッド４１（２）のヘッドの特性差が目立ち難くなり、より高画質な画像が得られる。そして、列領域ごとの補正値Ｈを算出するためのテストパターンを印刷する際に、重複画素データが示すドットサイズ以下のドットを、階調性をもたせて第１重複ノズルと第２重複ノズルとに形成させる。
【００９０】
図１９は、ハーフトーン処理後に、「大ドット形成」を示す重複画素データを、階調性を持たせて、第１重複ノズル用の画素データと第２重複ノズル用の画素データに置き換えるパターンを示す図である。本実施形態のプリンタ１は各ヘッド４１が重複ノズルを５個ずつ有する。また、プリンタ１が形成可能なドットサイズを５個としている（図１５Ａ）。そのため、「特大ドット形成」を示す重複画素データを第１重複ノズル用の画素データに変換する際に、奥側から手前側の第１重複ノズルほどサイズの小さいドットが形成させることができる。しかし、特大ドットよりも小さいサイズのドット形成する重複画素データは、必ずしも５個の重複ノズルに対して、奥側から手前側の重複ノズルほどサイズの小さいドットを形成させることはできない。
【００９１】
例えば、「大ドット形成」を示す重複画素データを第１重複ノズル用の画素データに変換する際に、最も奥側の第１重複ノズル＃１７６と奥から２番目の第１重複ノズル＃１７７に「中ドット」を形成させるようにする。そして、それよりも手前側の第１重複ノズル＃１７８，＃１７９には「小ドット」を形成させ、最も手前側の第１重複ノズル＃１８０には「極小ドット」を形成させるように、データを変換する。逆に、最も奥側の第２重複ノズル＃１には「極小ドット」を形成させ、手前側の第２重複ノズル＃２，＃３には「小ドット」を形成させ、更に手前側の第２重複ノズル＃４，＃５には「中ドット」を形成させるように、データを変換する。
【００９２】
そうすることで、５個の重複ノズルが形成する全てのドットに対して階調性をもたせられなくとも、第１ヘッド４１（１）側（奥側）の第１重複ノズル（例えばノズル＃１７６）により形成されるドットを、それに対応する第２重複ノズル（例えばノズル＃１）により形成されるドットよりも大きくできる。逆に、第２ヘッド４１（２）側（手前側）の第２重複ノズル（例えばノズル＃５）により形成されるドットを、それに対応する第１重複ノズル（例えばノズル＃１８０）により形成されるドットよりも大きくでき、第１ヘッド４１（１）と第２ヘッド４１（２）のヘッドの特性差が目立ち難い画像が得られる。
【００９３】
そして、図１８Ａや図１９に示すような重複画素データの置き換えパターンをコンピュータ６０のメモリに記憶させることで、コンピュータ６０が、ハーフトーン処理後の重複画素データを、階調性を持たせて、第１重複ノズル用画素データと第２重複ノズル用画素データに置き換えられる。
【００９４】
また、図１８Ｂでは、全ての重複画素データが「特大ドット形成」を示すとしているが、実際の印刷画像では、これに限らない。例えば、最も奥側の重複画素データは「大ドット形成」を示し、奥側から２番目の重複画素データは「特大ドット形成」を示しているとする。このとき、重複領域において、最も奥側の第１重複ノズルにより「中ドット」が形成され、奥側から２番目の第１重複ノズルにより「大ドット」が形成される。そのため、必ずしも、重複領域の奥側から手前側の領域になるほど、第１重複ノズルにより形成されるドットサイズが小さくなるとは限らない。但し、同じ重複画素データに基づいて、重複領域の奥側では、第１重複ノズルの方が第２重複ノズルよりも大きなドットを形成し、重複領域の手前側では、第２重複ノズルの方が第１重複ノズルよりも大きなドットを形成するため、同じ画素データに基づいて第１重複ノズルと第２重複ノズルが同じサイズのドットを形成する場合に比べて、印刷画像にヘッド４１の特性差が現れ難くなる。
【００９５】
＜補正例３＞
図２０は、印刷データ作成中における補正例３の濃度補正処理のイメージ図である。ハーフトーン処理前の画素データは高階調数（２５６階調）のデータである。ここで、全ての画素データが「階調値２００」を示しているとする。その後、濃度補正処理にて、重複ノズルが割り当てられる重複画素データの階調値を半分の「１００（第１階調値と第２階調値に相当）」にする。
【００９６】
次に、ハーフトーン処理により、重複画素データは、「階調値１００」という高階調のデータから「中ドット形成（第１ドットデータと第２ドットデータに相当）」という低階調のデータに変換される。一方、重複画素データ以外の画素データは、「階調値２００」から「大ドット形成」というデータに変換される。最後に、ラスタライズ処理の際に、図中のハーフトーン処理後の画像データのうちの実線で囲まれた領域の画素データを第１ヘッド４１（１）のノズル列に割り当て、点線で囲まれた領域の画素データを第２ヘッド４１（２）のノズル列に割り当てる。
【００９７】
即ち、濃度補正処理前には、全ての画素データが階調値２００を示し、濃度補正処理せずにハーフトーン処理を行えば、全ての画素データが「大ドット形成」というデータに変換されるところを、濃度補正処理にて重複画素データの階調値を半分にした後にハーフトーン処理を行うことで、重複画素データは「中ドット形成」というデータに変換される。このように、重複画素データの階調値を半分にしてハーフトーン処理を行ったデータを、第１重複ノズルと第２重複ノズルに共通のデータとして割り振る。その結果、補正例１と同様に（図１６Ｂ）、重複領域には、第１重複ノズルによる中ドットと第２重複ノズルによる中ドットとが重なるように形成される。こうすることで、重複領域の濃度補正処理を行わずに、第１重複ノズルと第２重複ノズルとにより大ドットが重なるように形成する場合（図１６Ａ）に比べて、重複領域が濃く視認されてしまうことを防止できる。そして、列領域ごとの補正値Ｈを算出するためのテストパターンを印刷する際に、重複画素データの示す階調値を、第１重複ノズル用の画素データと第２重複ノズル用の画素データに分配する。
【００９８】
なお、補正例１では、重複画素データをハーフトーン処理した後に、形成されるドットサイズが小さくなるように、重複画素データを第１重複ノズル用の画素データと第２重複ノズル用の画素データとに置き換える。一方、補正例２では、重複画素データの階調値を半分にした後にハーフトーン処理するため、重複領域内に形成されるドットサイズが小さくなる他に、重複領域内に生成されるドット数が少なくなることもある。但し、結果的には、濃度補正処理を行わない場合に比べて、重複領域に向けて吐出される液体量が減るため、重複領域が濃く視認されてしまうことを防止できる。
【００９９】
図２１は、ハーフトーン処理前の重複画素データの階調値を、階調性を持たせて、第１重複ノズル用の画素データと第２重複ノズル用の画素データとに置き換える様子を示す図である。図２０では、重複画素データの階調値を半分に分けているが、これに限らない。例えば、重複画素データの示す階調値が「２００」であるときに、重複画素データのうちの奥側（第１ヘッド４１（１）のノズルが割り当てられている画素側）の重複画素データでは、第１重複ノズル用の画素データの階調値「１５０（第１階調値に相当）」を、第２重複ノズル用の画素データの階調値「５０（第２階調値に相当）」よりも大きくするとよい。その結果、重複領域の奥側において、第２重複ノズルよりも第１重複ノズルからの液体吐出量の方が多くなる。逆に、手前側の重複画素データでは、第２重複ノズル用の画素データの階調値「１５０（第２階調値に相当）」を、第１重複ノズル用の画素データの階調値「５０（第１階調値に相当）」よりも大きくするとよい。こうすることで、異なるヘッド４１の特性差が画像中に目立ち難くなり、より高画質な画像が得られる。
【０１００】
このように重複画素データの階調値を、半分ではなく、階調性を持たせて、第１重複ノズル用の画素データと第２重複ノズル用の画素データとして分配する場合、図２０に示すようにハーフトーン処理後の重複画素データを、第１重複ノズルと第２重複ノズルの共通のデータとすることはできない。そのため、図２１に示すように、ハーフトーン処理前に、重複画素データを、第１重複ノズル用の画素データと第２重複ノズル用の画素データとに分配するとよい。
【０１０１】
＜第２実施形態の補正値Ｈの算出について＞
図２２は、第２実施形態における列領域ごとの補正値Ｈの算出フローである。この第２実施形態では、上述の濃度補正処理（補正例１〜補正例３）では補正しきれない濃度むらを、列領域ごとの補正値Ｈにより補正する。そのため、第１実施形態にて示しているテストパターン（図９）を印刷する際に、第２実施形態では、重複ノズルが割り当てられる指令階調値（Ｓａ〜Ｓｃ）を補正した後にテストパターンを印刷させる（Ｓ２０１，Ｓ２０２）。例えば、濃度補正処理の補正例１を行う場合には、補正値Ｈを算出するためにテストパターンを印刷する際に、指令階調値（Ｓａ〜Ｓｃ）をハーフトーン処理した画素データにおいて、重複ノズルが対応付けられる画素データが示すドットサイズ以下のドットを、第１重複ノズルと第２重複ノズルとによりそれぞれ形成させる。このように、重複領域に対して濃度補正処理（補正例１〜補正例３）がなされたテストパターンをスキャナに読み取らせ、読取階調値を取得する（Ｓ２０３）。なお、重複ノズル以外のノズルが対応付けられる指令階調値（画素データ）は濃度補正処理することなく、そのままの指令階調値に基づいてテストパターンが印刷される。そして、テストパターンから取得した読取階調値に基づいて、前述の第１実施形態と同様に補正値Ｈを算出する（Ｓ２０４）。そうすることで、重複領域に対して濃度補正処理（補正例１から補正例３）を行ったが、重複領域が未だ濃く印刷される場合には、重複領域が淡くなるような補正値Ｈを算出し、重複領域が淡く印刷されすぎてしまった場合には、重複領域が濃くなるような補正値Ｈを算出する。そうすることで、重複領域と他の列領域との濃度むらをより解消でき、高画質な画像が得られる。そうして算出された補正値Ｈをプリンタ１のメモリに記憶させる（Ｓ２０５）。
【０１０２】
＜第２実施形態の印刷データの作成について＞
図２３は、第２実施形態の印刷データの作成処理のフローである。プリンタドライバは、ユーザーからの印刷命令を受けると、画像データを解像度変換処理し（Ｓ３０１）、色変換処理した後に（Ｓ３０２）、高階調にて示された画素データを、その画素データが割り当てられる列領域の補正値Ｈに従って、階調値が補正される（Ｓ３０３）。補正値Ｈによる階調値変換処理は、前述の第１実施形態にて示している方法と同様である。その後、重複領域に対して補正例１または補正例２の濃度補正処理を行う場合（１）には、補正値Ｈにて補正された画素データをハーフトーン処理した後に、更に、重複領域に対応する画素データを、第１重複ノズル用の画素データと第２重複ノズル用の画素データ（ドットデータ）に置き換える。また、重複領域に対して補正例３の濃度補正処理を行う場合（２）には、補正値Ｈにて補正された画素データのうちの重複領域に対応する画素データの階調値を半分にするなどして補正し（例えば図２０，図２１）、ハーフトーン処理する。そうして、印刷データは、最後にラスタライズ処理され（Ｓ３０５）、プリンタ１に送信される。このように、列領域ごとの補正値Ｈにより重複領域に対応付けられる画素データを補正し、更に、重複領域に対して補正例１から補正例３の濃度補正処理を行うことで濃度むらをより精度良く補正できる。また、列領域ごとの補正値Ｈにより重複領域以外の領域も補正することで、高画質な画像が得られる。
【０１０３】
＝＝＝その他の実施形態＝＝＝
上記の各実施形態は、主としてインクジェット方式のプリンタを有する印刷システムについて記載されているが、濃度むら補正方法等の開示が含まれている。また、上記の実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【０１０４】
＜補正値Ｈによる補正について＞
前述の実施形態では、重複領域以外の領域も補正値Ｈにより補正されているが、これに限らず、重複領域のみ補正値Ｈにより補正してもよい。また、列領域ごとに補正値Ｈを算出し、列領域ごとに画素データ（階調値）を補正しているが、これに限らず、プリンタ１にテストパターンを印刷した読取結果に基づいて、重複領域全体の補正値を算出してもよい。
【０１０５】
＜シリアル式のプリンタについて＞
前述の実施形態では、連続媒体を印刷領域に搬送した後に、ヘッドユニット４０を搬送方向と連続媒体の幅方向に交互に移動しながら画像を形成し、画像形成後には、再び、印刷されていない連続媒体の領域を印刷領域に搬送し、これを繰り返すことで連続媒体に画像を印刷するインクジェットプリンタを例に挙げているがこれに限らない。例えば、複数のヘッドを有するヘッドユニットがキャリッジにより移動方向（前述のプリンタ１における搬送方向に相当）に移動しながらラスタラインを形成する動作と、単票紙を移動方向と交差する方向である搬送方向（前述のプリンタ１における幅方向に相当）に搬送する動作とを交互に繰り返すシリアル式のプリンタにおいても本件発明を適用できる。この場合、ヘッドは搬送方向に複数のノズルが並んだノズル列を備える。そして、一方のヘッドのノズル列の搬送方向における下流側端部と、他方のヘッドのノズル列の上流側端部とが重なるように、複数のヘッドを配置する。そして、そのノズル列の端部と対向する媒体の領域に対しては、同じ画素データに基づいて、異なるヘッドのノズルからそれぞれインクを吐出させる。その結果、ヘッドの取付誤差等により発生する濃度むらを解消できる。
【０１０６】
＜ラインヘッドプリンタについて＞
また、紙幅方向に沿ったノズル列を有する複数のヘッドが、紙幅方向に並んでいるラインヘッドプリンタであっても、本件発明を適用できる。ラインヘッドプリンタでは、紙幅方向いっぱいにノズルが並び、そのノズルの下を用紙が紙幅方向と交差する方向である搬送方向に停まることなく搬送される際に、各ノズルからインクが吐出されることによって画像が完成する。この場合、紙幅方向に隣り合うヘッドの一方のヘッドのノズル列端部と他方のヘッドのノズル列端部とが重なり合うように、各ヘッドを配置する。そして、ノズル列の端部と対向する媒体の領域に対しては、同じ画素データに基づいて、異なるヘッドのノズルからそれぞれインクを吐出させる。その結果、ヘッドの取付誤差等による濃度むらを解消できる。特にラインヘッドプリンタは多数のヘッドを有し、他のプリンタに比べて、取付誤差による濃度むらが発生しやすいと言えるため、本件発明が有効に適用できる。
【０１０７】
＜液体吐出装置について＞
前述の実施形態では、液体吐出方法を実施する液体吐出装置（一部）としてインクジェットプリンタを例示していたが、これに限らない。液体吐出装置であれば、プリンタ（印刷装置）ではなく、様々な工業用装置に適用可能である。例えば、布地に模様をつけるための捺染装置、カラーフィルター製造装置や有機ＥＬディスプレイ等のディスプレイ製造装置、チップへＤＮＡを溶かした溶液を塗布してＤＮＡチップを製造するＤＮＡチップ製造装置、回路基板製造装置等であっても、本件発明を適用することができる。  
また、液体の吐出方式は、駆動素子（ピエゾ素子）に電圧をかけて、インク室を膨張・収縮させることにより液体を吐出するピエゾ方式でもよいし、発熱素子を用いてノズル内に気泡を発生させ、その気泡によって液体を吐出させるサーマル方式でもよい。
【０１０８】
＜バンド印刷について＞
前述の実施形態のプリンタ１の印刷方式はバンド印刷としているがこれに限らない。例えば、ヘッドユニット４０の搬送方向への１回の移動（パス）で記録されるラスタライン間に、当該パスでは記録されないラスタラインが挟まれるようなインターレース印刷をするとしてもよい。重複ノズルが対応付けられる列領域に対して、第１重複ノズルと第２重複ノズルとからそれぞれ液体を吐出させることで、ドット間隔が空きすぎてしまうことを防止できる。また、プリンタ１が行う印刷方式に合わせてテストパターンを印刷し、重複ノズルが対応付けられる列領域の補正値Ｈを算出し、濃度補正を行うことで、重複ノズルでドットが重なるように形成されることによる列領域の誤差を補正でき、濃度むらが抑制される。
【図面の簡単な説明】
【０１０９】
【図１】印刷システムの構成ブロック図である。
【図２】図２Ａはプリンタの概略断面図、図２Ｂはプリンタの概略上面図である。
【図３】ヘッドユニットの下面のノズル配列を示す図である。
【図４】図４Ａは本実施形態と異なるヘッドの配置を示す図であり、図４Ｂは本実施形態と異なる比較例の印刷方法を示す図である。
【図５】ヘッドに取付誤差が生じた際の比較例の印刷を示す図である。
【図６】本実施形態の印刷方法の概略を示す図である。
【図７】図７Ａから図７Ｃは列領域ごとの補正値による補正を行わない場合の様子を示す図である。
【図８】第１実施形態の補正値の算出方法のフローである。
【図９】図９Ａはテストパターンを示す図であり、図９Ｂは補正用パターンを示す図である。
【図１０】帯状パターンの読取結果をグラフにて示した図である。
【図１１】図１１Ａ及び図１１Ｂは目標階調値の算出方法を示す図である。
【図１２】補正値テーブルである。
【図１３】第１実施形態の印刷データ作成処理のフローである。
【図１４】補正前の階調値と指令階調値と異なる場合の補正を示す図である。
【図１５】図１５Ａはドットの種類を示し、図１５Ｂは重複画素データを重複ノズル用の画素データに置き換える様子を示す図である。
【図１６】図１６Ａは重複領域に対して濃度補正処理が行われない場合の図であり、図１６Ｂは重複領域に対して濃度補正処理が行われた場合の図である。
【図１７】補正例１の濃度補正処理のイメージ図である。
【図１８】図１８Ａ及び図１８Ｂは重複画素データを、階調性を持たせて重複ノズル用の画素データに置き換える様子を示す図である。
【図１９】重複画素データを、階調性を持たせて重複ノズル用の画素データに置き換える様子を示す図である。
【図２０】補正例３の濃度補正処理のイメージ図である。
【図２１】重複画素データの階調値を、階調性を持たせて重複ノズル用の画素データに置き換える様子を示す図である。
【図２２】第２実施形態における列領域ごとの補正値の算出フローである。
【図２３】第２実施形態の印刷データの作成処理のフローである。
【符号の説明】
【０１１０】
１  プリンタ、
１０  コントローラ、１１インターフェース部、１２  ＣＰＵ、
１３  メモリ、１４  ユニット制御回路、
２０  搬送ユニット、２１  搬送ローラ、
３０  駆動ユニット、３１  第１ステージ、３２  第２ステージ、
４０  ヘッドユニット、４１  ヘッド、４２  ヘッド、
５０  検出器群、６０  コンピュータ
【図１】
0005211838.tif 000002
【図２】
0005211838.tif 000003
【図３】
0005211838.tif 000004
【図４】
0005211838.tif 000005
【図５】
0005211838.tif 000006
【図６】
0005211838.tif 000007
【図７】
0005211838.tif 000008
【図８】
0005211838.tif 000009
【図１０】
0005211838.tif 000010
【図１１】
0005211838.tif 000011
【図１２】
0005211838.tif 000012
【図１３】
0005211838.tif 000013
【図１４】
0005211838.tif 000014
【図１５】
0005211838.tif 000015
【図１６】
0005211838.tif 000016
【図１７】
0005211838.tif 000017
【図１８】
0005211838.tif 000018
【図１９】
0005211838.tif 000019
【図２０】
0005211838.tif 000020
【図２１】
0005211838.tif 000021
【図２２】
0005211838.tif 000022
【図２３】
0005211838.tif 000023
【図９】
0005211838.tif 000024